(57)【要約】【課題】電動送風機のファン側の排気を、騒音を抑え、効率よく本体外へ排出すること。【解決手段】電動送風機室３と電源コード収納室１７とを左右に分離して並列に配置する隔壁１６に、電動送風機４のファン部５の複数のファン側排気口７からの排気を掃除機本体外へ流すための吸入口１８を設け、掃除機本体を背面から見たときの背面上、ファン部５の回転中心と吸入口１８の上端、下端とをそれぞれ結ぶ２つの直線と吸入口１８とで構成される略三角形の範囲に位置するファン側排気口７、及び前記略三角形の範囲をファン部５の回転中心を中心に時計回り及び反時計回りに所定の角度ずつ回転させたときの範囲に位置するファン側排気口７とを塞いで、排気が流れ出ないようにしたもので、ファン部５の排気が効率よく排出でき、更にファン部５で生じる風切り音や高周波音も、本体外に伝わり難くなり、騒音を抑えることも可能となる。【選択図】図１
2010273754.tif 000002
【特許請求の範囲】
【請求項１】
空気を吸引するファン部に複数のファン側排気口を、モーター部にモーター側排気口を、それぞれ形成した電動送風機を具備する電動送風機室と、電源コードを収納する電源コード収納室とを、左右に分離して並列に配置する隔壁と、前記隔壁に設けられ、前記ファン側排気口からの排気を、前記電源コード収納室を介して掃除機本体外へ流すための吸入口と、前記複数のファン側排気口の内、掃除機本体を背面から見たときの背面上、ファン部の回転中心と前記吸入口の上端、下端とを結ぶ２つの直線と吸入口とで構成される略三角形の範囲に位置するファン側排気口、及び前記略三角形の範囲をファン部の回転中心を中心に時計回り、反時計回りにそれぞれ、所定の角度ずつ回転させたときの前記略三角形の範囲に位置するファン側排気口とを、それぞれ塞いで、塞いだファン側排気口から排気が流れ出ないようにした電気掃除機。
【請求項２】
吸入口を隔壁の下部に設け、コード出口を電源コード収納室の上方に設けた請求項１記載の電機掃除機。
【請求項３】
電動送風機のファン側排気口内部に渦巻き状のエアガイドを設け、前記エアガイドによって誘導され円筒状のファン部の前記ファン側排気口から円筒面の略接線方向に排出される排気の内、電動送風機が電動送風機室にセットされたときに、最も低い位置となったファン側排気口から、排出される排気の向きが、吸入口へ流れ込む排気の直前の向きと一致するようにした請求項２記載の電気掃除機。
【発明の詳細な説明】
【技術分野】
【０００１】
本発明は、電気掃除機に関し、特に電気掃除機の電動送風機の排気構成に関するものである。
【背景技術】
【０００２】
従来の電気掃除機の電動送風機の排気構成として、電動送風機のモーター側に排気口を設けて電動送風機室から排出させ、またその排気の一部を電源コード収納室側に流している（例えば、特許文献１参照）。
【先行技術文献】
【特許文献】
【０００３】
【特許文献１】特開平１０−１１７９７６号公報
【発明の概要】
【発明が解決しようとする課題】
【０００４】
しかしながら、前記従来の構成では、電動送風機のモーター側にのみ排気口を設けているため、ファン部の排気をモーター部に迂回させてモーター側排気口から排出しており、ファン部の排気を効率よく電動送風機室の外へ排出することができず、モーターが生み出した圧力を損失させる等の課題があった。また、電動送風機を覆うケースにファン部の排気口を設けると、ファン部から流れる排気の風切り音と電動送風機の高速回転により生じる高周波音によって騒音値が高くなる課題も生じていた。
【０００５】
本発明は、前記従来の課題を解決するもので、ファン部からの排気を効率よく排気して圧力損失を極力小さくし、また風切り音等の騒音値を極力小さくする電気掃除機を提供することを目的とする。
【課題を解決するための手段】
【０００６】
前記従来の課題を解決するために、本発明の電気掃除機は、空気を吸引するファン部に複数のファン側排気口を、モーター部にモーター側排気口を、それぞれ形成した電動送風機を具備する電動送風機室と、電源コードを収納する電源コード収納室とを、左右に分離して並列に配置する隔壁と、前記隔壁に設けられ、前記ファン側排気口からの排気を、前記電源コード収納室を介して掃除機本体外へ流すための吸入口と、前記複数のファン側排気口の内、掃除機本体を背面から見たときの背面上、ファン部の回転中心と前記吸入口の上端、下端とを結ぶ２つの直線と吸入口とで構成される略三角形の範囲に位置するファン側排気口、及び前記略三角形の範囲をファン部の回転中心を中心に時計回り、反時計回りにそれぞれ、所定の角度ずつ回転させたときの前記略三角形の範囲に位置するファン側排気口とを、それぞれ塞いで、塞いだファン側排気口から排気が流れ出ないようにしたもので、隔壁に、吸入口を設けることで、ファン部の排気を効率よく電動送風機室の外へ排出でき、更に、吸入口に近いファン側排気口が塞がれているため、ファン部で生じる風切り音と高周波音が、吸入口から本体外に向かってスムーズには伝わらないため、騒音を抑えることが可能となるものである。
【発明の効果】
【０００７】
本発明によれば、電動送風機のファン部からの排気を効率よく排出しながら騒音を抑えた電気掃除機を提供することができる。
【図面の簡単な説明】
【０００８】
【図１】本発明の実施の形態１における電気掃除機の平断面図
【図２】本発明の実施の形態１における電気掃除機の横断面図
【発明を実施するための最良の形態】
【０００９】
第１の発明は、空気を吸引するファン部に複数のファン側排気口を、モーター部にモーター側排気口を、それぞれ形成した電動送風機を具備する電動送風機室と、電源コードを収納する電源コード収納室とを、左右に分離して並列に配置する隔壁と、前記隔壁に設けられ、前記ファン側排気口からの排気を、前記電源コード収納室を介して掃除機本体外へ流すための吸入口と、前記複数のファン側排気口の内、掃除機本体を背面から見たときの背面上、ファン部の回転中心と前記吸入口の上端、下端とを結ぶ２つの直線と吸入口とで構成される略三角形の範囲に位置するファン側排気口、及び前記略三角形の範囲をファン部の回転中心を中心に時計回り、反時計回りにそれぞれ、所定の角度ずつ回転させたときの前記略三角形の範囲に位置するファン側排気口とを、それぞれ塞いで、塞いだファン側排気口から排気が流れ出ないようにしたもので、隔壁に、吸入口を設けることで、ファン部の排気を効率よく電動送風機室の外へ排出でき、更に、吸入口に近いファン側排気口が塞がれているため、ファン部で生じる風切り音と高周波音が、吸入口から本体外に向かってスムーズには伝わらないため、騒音を抑えることが可能となるものである。
【００１０】
第２の発明は、第１の発明の吸入口を隔壁の下部に設け、コードの出口を電源コード収納室の上方に設けたもので、吸入口を通過した排気は、電源コード収納室を、下部から上方までたどり着く必要が生じ、排気の経路が長くなり、風切り音や高周波音等の騒音を更に抑えることが可能となるものである。
【００１１】
第３の発明は、第２の発明の電動送風機のファン側排気口内部に渦巻き状のエアガイドを設け、前記エアガイドによって誘導され円筒状のファン部の前記ファン側排気口から円筒面の略接線方向に排出される排気の内、電動送風機が電動送風機室にセットされたときに、最も低い位置となったファン側排気口から、排出される排気の向きが、吸入口へ流れ込む排気の直前の向きと一致するようにしたもので、少なくともエアガイドによって誘導され、前記最も低い位置となったファン側排気口から排出される排気が、効率よく吸入口に流れることにより、乱流が生じるのを抑えて風切り音が減少すると共に、ファン側排気口の圧力損失も抑えることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における電気掃除機本体の平断面図、図２は同、電気掃除機本体の横断面図を示すものである。
【００１４】
図１、図２において、電気掃除機本体１は、集塵室２の後方に電動送風機室３を形成している。電動送風機室３は、塵埃と空気を吸い込むための電動送風機４を備え、電動送風機４にはファン部５とファンを回転させるモーター部６にて構成され、ファン部５とモーター部６にはそれぞれ、複数のファン側排気口７とモーター側排気口８を備えている。
【００１５】
ファン側排気口７の内側には、効率よく排気を放出するためのエアガイド９が渦巻き状に形成されている。次に、電動送風機４を覆うようにケース上１０とケース下１１を構成し、ケース上１０とケース下１１に設けた区画壁１２により、ケース上１０とケース下１１の内部をファン室１３とモーター室１４に区画されている。モーター室１４には電動送風機４に連通するモーター側排気穴８が構成されており、ファン室１３側にはファン側排気を流すための連絡通路１５が構成されている。
【００１６】
電動送風機室３の横には、それと並列に隔壁１６が配設され、電動送風機室３側と電源コード収納室１７とを分離している。また、隔壁１６の下部には吸入口１８が設けられ、連絡通路１５と連通されている。
【００１７】
電動送風機４に設けられたファン側排気口７は、ファン部の外周に一定間隔で、複数個、設けられているが、連絡通路１５と電動送風機４とを結んだ区間（図２のａ）と少なくとも、左右、所定の角度（１５度、望ましくは１０度）の区間には設けていない。
【００１８】
このような構成により、モーター側排気口８の排気は電動送風機４に流れ、次に本体後部に形成された主排気口１９と主排気口１９に具備した排気フィルター２０を通過し、電気掃除機本体１の外へ排気される。また、ファン側排気口７の排気は本体略中央部に位置する連絡通路１５から隔壁１６の吸入口１８を通過し、電動送風機室３の外に排出される。電源コード２１は隔壁１６の吸入口１８の排気が当たるよう収納されている。
【００１９】
以上のように構成された電気掃除機について、以下その動作、作用を説明する。
【００２０】
図１、図２に示すように、電動送風機４の吸引により塵埃と空気を吸引し、集塵袋２２により塵埃と空気を分離し、空気のみが電動送風機４に流れる。吸引された空気の一部はファン側排気口７から、残りの空気はモーター側排気口８からそれぞれ排出される。まず、モーター側排気口８の排気はモーターの冷却風として利用されモーター部を冷却した後にモーター側排気穴２３より排出され、本体外郭に備えた主排気口１９より本体外に排出する。次にファン側排気口７の排気はその流れを遮られることなく、連絡通路１５から効率よく隔壁１６の吸入口１８を通過し、電源コード収納室１７へ流れ、電源コード収納室１７も上方に設けられたコード出口２４より本体の外へ排出される。このとき、ファン部５で生じる風切り音と高周波音が連絡通路１５にて発生するが、連絡通路１５が本体の略中央部に位置し、連絡通路１５に面したファン部５のファン側排気口７は、塞がれているため、発生した音が吸入口から本体外に向かってスムーズには伝わらず、また電気掃除機本体１の外郭を直接通過することもないため、発生した騒音を減衰させて本体外に放出することができる。
【００２１】
また、電動送風機４のファン部５の内側に構成されたエアガイド９によってファン側排気口の排気は、ファン部５の外周を一定方向へ旋回するが、その旋回の方向と連絡通路１５から隔壁１６の吸入口１８に排出する方向とを一致させることにより、効率よくファン側排気口７の風を隔壁１６の吸入口１８に流すことができるとともに、連絡通路１５での乱流の発生を防ぐことにより連絡通路１５で生じる風切り音を抑えることができる。
【００２２】
さらに、連絡通路１５から電源コード収納室１７へ流入する排気を電源コード２１に当てるよう配置することで、高速で排出された風により電源コード２１の熱を効率よく冷却できる。また、この効果により、隔壁１６に設ける電源コード２１の冷却用の排気吸入口の数を減らすことができ、電源コード収納室１７へ漏れ出る騒音を抑えることができる。
【産業上の利用可能性】
【００２３】
以上のように、本発明にかかる電気掃除機は、電動送風機のファン部からの排気を効率よく排出しながら騒音を抑えることが可能となるので、家庭用、業務用等幅広い電機掃除機に適用できるものである。
【符号の説明】
【００２４】
３  電動送風機室
４  電動送風機
５  ファン部
６  モーター部
７  ファン側排気口
８  モーター側排気口
１５  連絡通路
１６  隔壁
１７  電源コード収納室
１８  吸入口
２１  電源コード
【図１】
2010273754.tif 000003
【図２】
2010273754.tif 000004